(57)【特許請求の範囲】
【請求項１】
各々が円筒形本体と回転の中心軸とを有する一対のプレートシリンダを有し、このプレートシリンダが、前記中心軸が間隔をおいて平行に配置されるように、間隔をおいて平行に配置された一対のサイドフレーム間に装着されており、また、各々が円筒形本体と回転の中心軸とを有する一対のブランケットシリンダをさらに有しており、この一対のブランケットシリンダが、前記一対のサイドフレーム間に可動に装着されており、前記一対のプレートシリンダと前記一対のブランケットシリンダとが、印刷のために、互いに対向して配置されている、可変性カットオフ印刷機において、
その改善点が、
前記ブランケットシリンダが、前記中心軸が間隔をおいて平行状態に維持されるように、一対の線形スライドアセンブリによって前記一対のサイドフレームに取り付けられており、この一対の線形スライドアセンブリは各々が各サイドフレームに設置されており、この線形スライドアセンブリの各々は、線形に移動可能であるように線形の摺動面において支持され、前記線形スライドアセンブリは、ブランケットシリンダのための線形の調整軸の対応する軸の少なくとも一部分に沿って線形に移動可能にされており、
前記各サイドフレームに旋回可能に取り付けられたクランクと、前記クランクと各線形スライドアセンブリとを連結する調整可能な接続ロッドとをさらに備えており、
前記ブランケットシリンダは、各々、対向する端部を有する非回転シャフトを含み、この対向する端部の各々は、線形の摺動面のうちの対応するひとつの摺動面内で線形スライド運動を行ってブランケットシリンダを線形に調節可能に位置決めする線形スライドアセンブリのひとつにおいて支えられており、
前記線形スライドアセンブリは前記クランクを旋回することによって調整され、そうすることにより、異なる直径のブランケットシリンダが可変性カットオフ印刷機に収容されるように、前記調整可能な接続ロッドと線形スライドアセンブリとが線形に移動させられるように構成されてなる、可変性カットオフ印刷機。
【請求項２】
ブランケットシリンダの各々の円筒形本体上にブランケットスリーブと印刷シリンダの各々上に印刷プレートとを備え、ブランケットスリーブの各々は、所望の印刷カットオフポイントを作成するブランケットスリーブ外径を与えるように選択された厚みを有する請求項１に記載の可変性カットオフ印刷機。
【請求項３】
前記各クランクのための少なくともひとつのストップをさらに有しており、前記ストップにより、間隔をおいて平行に配置される調整軸の対に沿ってブランケットシリンダを線形に調節可能に位置決めするあらかじめ選択された範囲を規定してブランケットシリンダ間の間隔を変更する請求項１に記載の可変性カットオフ印刷機。
【請求項４】
前記サイドフレームから印刷シリンダを素早く解除して印刷プレートを置換し、一方、通常は印刷動作の間に動作位置に印刷シリンダを固定している解除機構をさらに備えている請求項１に記載の可変性カットオフ印刷機。
【請求項５】
線形の摺動面の各々は対向する組の線形の軸受けにより規定され、線形スライドアセンブリの各々は、対応する線形の摺動面においてこの線形軸受けの組により支持されるアームを含み、線形のアームの各々は調整軸のうちの対応するひとつに沿って伸びる請求項１に記載の可変性カットオフ印刷機。
【請求項６】
各クランクが、ブランケットシリンダが同時に反対方向にシフトできるような状態で、前記フレームに取り付けられてなる請求項１に記載の可変性カットオフ印刷機。
【請求項７】
前記調整可能な接続ロッドそれぞれが、内ネジが形成されたスリーブと外ネジが形成された一対のネジ棒とを備えており、この各ネジ棒が対応する線形クランクに旋回可能に接続されている請求項１に記載の可変性カットオフ印刷機。
【請求項８】
前記ストップのうちの少なくとも一つが調整可能に構成されている請求項３に記載の可変性カットオフ印刷機。
【発明の詳細な説明】
（発明の属する技術分野）
本発明は印刷機において改善をはかったものに関し、より特定的には、可変性の印刷イメージカットオフを与えることの出来る印刷機に関する。
【０００１】
（発明の背景技術）
典型的に、印刷機は２つの印刷対を用い、この２つの印刷対の各々のためにインキング機構を有する。印刷対は、間隔をおいて平行に配置されるサイドフレームにおいて一般に対向端部で支えられている一対のプレートシリンダと、このサイドフレームにおいて同様に支えられている対応する一対のブランケットシリンダとを備えている。さらに、印刷機は、偏心スリーブおよび関連のリンク機構のシステムに通常は基づいたスロウオフ機構を有するように形成される。
【０００２】
この種類の印刷機に対しては、印刷機は一般に、プレートおよびブランケットシリンダの特定の径を用いるように設計されている。シリンダの径が、本質的に印刷機を組み立て直すことで印刷機の構成部品を全体的に変更していたためにその変更が困難であった印刷イメージカットオフを決定すると理解されるであろう。これは非常に費用のかかる操作であり、生産性および資源利用の観点から望ましくないことがわかる。
【０００３】
言い換えると、従来の印刷機においてカットオフを変更することが必要なとき、非常に長い「休止時間」がある。この目的を達成するには、印刷機を組み立て直して様々な印刷イメージカットオフを得ることが出来るように、様々なギヤー、軸受けなどと共に、プレートおよびブランケットシリンダの様々な径を含む多くの様々な大きさの構成部品を有することも必要である。その結果、カットオフを変更する費用が、印刷機で望まれる柔軟性のレベルを達成する妨げとなっていた。
【０００４】
これらの問題を克服しようとして、リグス（Ｒｉｇｇｓ）らの米国特許第２、４４７，８７２号において、印刷機および様々な径のブランケットシリンダを適合させる方法が提案されている。その教示によれば、印刷対の構成部品を接続している直歯の大きさに適切な変更を加えるという条件で、実質的に同じ駆動要素が、様々な径のうちのひとつを有するシリンダを備える印刷機を構成する際に終始使用可能である。完全に異なる組の印刷駆動部品は必要ではないが、リグスらの米国特許第２、４４７，８７２号は、当該技術が遭遇する問題をすべて克服したわけではなかった。
【０００５】
さらなる背景の例として、ハノン（Ｈａｎｎｏｎ）の米国特許第５、３３７、６６４号は、２つの印刷対を用いる種類の印刷機を開示している。この特許は、一対のブランケットシリンダを用い、これらのブランケットシリンダは、これらを互いからそして対応する一対のプレートシリンダから分離できるようにするためにスロウオフ装置により移動自在に装着される。そこに記載されているように、一対のブランケットシリンダは典型的には、スロウオフ装置により移動するように装着され、分離してスロウオフ隙間を作る。
【０００６】
当業者には理解されるように、このスロウオフ隙間は、プレートおよびブランケットを取り付けて、プレートおよびブランケットシリンダからこれらをとり外すのに必要である。従来、この目的のために用いられる装置は、ブランケットシリンダのシャフトが典型的には装着される偏心部材の周辺アームに旋回可能に接続される好適なリンク機構を用いていた。プレートおよびブランケットを着脱するには、リンク機構は従来の駆動機構により移動させられて、動作位置から非動作位置まで偏心部材を旋回させる。
【０００７】
このようなスロウオフ装置は周知であるが、印刷イメージのカットオフを変更する装置には同じ事が当てはまらない。プレートシリンダ上でプレートを着脱し、ブランケットシリンダ上で、所望の印刷カットオフポイントを与えるようにブランケットスリーブが様々な厚みを有しそして様々な外径を有するようなブランケットスリーブを着脱する好適な手段を有することが非常に望ましいだろう。さらに、有利になるように、印刷機をあまり変更する必要のない方法でこれは達成されるべきである。
【０００８】
本発明は前述のひとつ以上の問題を克服し、その結果生じる目的を達成すべくなされたものである。
【０００９】
（発明の概要）
従って、本発明の主な目的は、公知の印刷機構成の不利点を克服する印刷機を提供することでる。本発明の別の目的は、印刷機自身に構造的にあまり変更を加えることなく印刷イメージのカットオフを変更することの出来る可変性印刷カットオフ印刷機を提供することである。本発明のさらなる目的は、ブランケットスリーブにおいて様々な厚みを用いることでイメージカットオフを変えることができる印刷機を提供することである。
【００１０】
前述に従えば、本発明は、各々が円筒形本体と回転の中心軸とを有する一対のプレートシリンダを有する印刷機に向けられている。印刷機は、プレートシリンダの軸が間隔をおいて平行に配置される状態で維持されるようにすくなくともひとつのサイドフレームにおいてプレートシリンダを装着する手段も含む。本発明は、各々が円筒形本体と回転の中心軸とを有する一対のブランケットシリンダを有する印刷機に向けられている。印刷機は、ブランケットシリンダの軸が間隔をおいて平行に配置された状態で維持されるようにすくなくともひとつのサイドフレームにブランケットシリンダを装着する手段を含む。この構成では、本発明は、装着手段が、間隔をおいて平行に配置される調整軸に沿ってブランケットシリンダを線形に調節可能に位置決めする。
【００１１】
例示の実施例においては、ブランケットシリンダのための間隔をおいて平行に配置される調整軸は、ブランケットシリンダの軸に対し横方向に伸びる面内にある。有利なことに、ブランケットシリンダのための間隔をおいて平行に配置される調整軸は、少なくともひとつサイドフレームの面内でまたはそれに対し平行にある線形の調整軸を含む。様々な径のブランケットスリーブを収容するために、装着手段は好ましくは、調整軸に沿ってブランケットシリンダを線形に調節可能に位置決めするあらかじめ選択された範囲を有する。
【００１２】
好ましい実施例において、装着手段は、少なくともひとつのサイドフレームにおける一対の線形の摺動面と、この一対の線形の摺動面の各々における線形のスライドアセンブリとを備える。一対の線形の摺動面の各々における線形のスライドアセンブリは有利に、調整軸のうちの対応するひとつに沿って軸方向に移動可能であることが理解されるだろう。この構成では、ブランケットシリンダは各々、少なくともひとつのサイドフレーム内に装着されて線形のスライド運動をする線形のスライドアセンブリにおいて支えられたシャフトを含む。
【００１３】
非常に好ましい実施例において、印刷機は、プレートシリンダおよびブランケットシリンダの軸が全て間隔をおいて平行に配置される状態で維持されるように、プレートシリンダおよびブランケットシリンダを間隔をおいて平行に配置される一対のサイドフレームに装着する手段を含む。装着手段は好ましくは、ブランケットシリンダの対向する端部の各々をサイドフレームに装着するためにサイドフレームの各々において一対の線形スライドアセンブリを含む。このように、ブランケットシリンダの各々の対向する端部の各々が線形のスライドアセンブリのひとつにおいて支持されることが理解されるだろう。線形のスライドアセンブリは各々有利に、ブランケットシリンダ装着ブロックと、装着ブロックから反対方向に伸びかつ線形の摺動面において対向する組の線形軸受けにおいて支持される一対の線形アームとを含む。さらに、線形のスライドアセンブリは各々、線形のアームの各々に対して間隔を置かれてサイドフレームのひとつに装着されて旋回運動をするクランクを含み、クランクの各々を線形アームのうちの対応するひとつに連結する役割をする接続ロッドも含む。
【００１４】
この構成では、クランクがクランクを線形アームに連結する接続ロッドにより旋回されると、ブランケットシリンダを線形に調節可能に位置決めすることが出来ると理解されるだろう。この点に関しては、線形アームが線形摺動面内で線形軸受けに配置され、その中で線形スライド運動をするのは有利である。好ましくは、印刷機は、クランクの各々のためにストップを含み、これにより線形アームの線形スライド運動の予め選択された範囲を規定し、そしてこのようにして、ブランケットシリンダを線形に調節可能に位置決めする。
【００１５】
前述の説明のため、ブランケットシリンダの中心または軸の間の間隔は、様々な厚みのブランケットスリーブを用いて、それにより費用のかかる構成部品および「休止時間」を使って印刷機を変更したり組み立て直したりする必要もなく所望の印刷カットオフポイントを作成するブランケットスリーブ外径を与えることが出来るように変更可能である。
【００１６】
本発明の他の目的、利点、および特徴は、添付図面と関連させて以下の明細書を考慮すると明らかになるであろう。
【００１７】
（好ましい実施例の詳細な説明）
所与の例において、まず図１および４を参照して、参照番号１０は、一対のプレートシリンダ１２ａおよび１２ｂを有する印刷機を包括的に示しており、この一対のプレートシリンダ１２ａおよび１２ｂはそれぞれ、円筒形本体１４ａおよび１４ｂと回転の中心軸１６ａおよび１６ｂとを有している。印刷機１０は、プレートシリンダ１２ａおよび１２ｂのそれぞれの軸１６ａおよび１６ｂが間隔をおいて平行に配置された状態で維持されるように少なくともひとつのサイドフレーム１８においてプレートシリンダ１２ａおよび１２ｂを装着する手段を含む。さらに、図１および図４を参照して、本発明に従った印刷機１０は一対のブランケットシリンダ２０ａおよび２０ｂを有し、この一対のブランケットシリンダ２０ａおよび２０ｂは、それぞれ円筒形本体２２ａおよび２２ｂと回転の中心軸２４ａおよび２４ｂとを有している。
【００１８】
図１および４に示される特定の実施例において、印刷機１０は、間隔をおいて平行に配置された一対のサイドフレーム１８および２６を有し、そこにおいてプレートシリンダ１２ａおよび１２ｂが装着されているが、さらに以下にかなり詳細に述べられるように、ブランケットシリンダ２０ａおよび２０ｂだけでなくプレートシリンダ１２ａおよび１２ｂが、本発明に固有の利点を利用しながら、参照番号１８で示すようなサイドフレームのひとつにおいて片持ち梁のように装着されることは理解されるだろう。
【００１９】
図３および図４を参照して、印刷機１０は、ブランケットシリンダ２０ａおよび２０ｂのそれぞれの軸２４ａおよび２４ｂが間隔をおいて平行に配置された状態で維持されるようにブランケットシリンダ２０ａおよび２０ｂをサイドフレーム１８および２６に装着する手段を有する。この装着手段は有利に、サイドフレーム１８および２６の各々において包括的に参照番号２８および３０で示される一対の線形スライドアセンブリを備える。線形スライドアセンブリ２８および３０はそれぞれ、包括的に参照番号３２および３４で示される摺動面において支持され、間隔をおいて平行に配置される調整軸３６および３８の対に沿ってそれぞれのブランケットシリンダ２０ａおよび２０ｂを線形に調節可能に位置決めを行なう。図４に特に示されるように、印刷機１０は、それぞれの線形スライドアセンブリ２８および３０の各々のために参照番号４０および４２で示すようなすくなくともひとつのストップを含み、それによってそれぞれのブランケットシリンダ２０ａおよび２０ｂを線形に調節可能に位置決する予め選択された範囲を規定してその間隔を変更する。
【００２０】
図３〜５を参照して、線形のスライドアセンブリ２８および３０はそれぞれ、参照番号４４および４６で示すようなブランケットシリンダ装着ブロックと、装着ブロック４４および４６からそれぞれ反対方向に伸びる参照番号４８、５０および５２、５４で示すような一対の線形アームとを備える。線形のアーム４８および５０は装着ブロック４４と一体化されかつそこから伸びているが、線形の摺動面３２において参照番号５６ａ〜５６ｄおよび５８ａ〜５８ｄで示すような対向する組の線形軸受けにおいて支持され、同様に、線形のアーム５２および５４は装着ブロック４６と一体化されかつそこから伸びているが、線形の摺動面３４において参照番号６０ａ〜６０ｄおよび６２ａ〜６２ｄで示すような対向する組の線形軸受けにおいて支持される。線形のスライドアセンブリ２８および３０は、参照番号６４、６６、および６８、７０で示すようなクランクも含み、これらのクランクは、サイドフレーム１８および２６に装着されて対応する線形アーム４８、５０、および５２、５４の各々に対し間隔を置かれて旋回移動する。線形のスライドアセンブリ２８および３０各々は、クランク６４、６６および６８、７０の各々をそれぞれ線形アーム４８、５０および５２、５４の対応するひとつに連結する参照番号７２、７４および７６、７８で示すような接続ロッドを含み、これにより間隔をおいて平行に配置される調整軸３６および３８の対に沿ってブランケットシリンダ２０ａおよび２０ｂを線形に調節可能に位置決めする。
【００２１】
図４および図５を参照して理解されるように、それぞれの装着ブロック４４および４６から伸びる線形のアーム４８、５０および５２、５４は、それぞれの線形の摺動面３２および３４内でそれぞれの線形の軸受け５６ａ〜５６ｄ、５８ａ〜５８ｄ、および６０ａ〜６０ｄ、６２ａ〜６２ｄに好適に配置され、いづれの方向においてもそれぞれの線形アーム４８、５０および５２、５４を線形スライド運動させる。このように、ブランケットシリンダ２０ａおよび２０ｂは、シャフト８０ａおよび８０ｂの対向端部がそれぞれ装着ブロック４４および４６において支えられた状態で、サイドフレーム１８および２６の各々において、ブランケットシリンダ２０ａおよび２０ｂ間の間隔は、様々な厚みのブランケットを用いてそれによって特定の所望の印刷カットオフポイントを作るブランケットスリーブ外径を与えることが出来るように変更可能である。
【００２２】
具体的には示されていないが、ブランケットスリーブはブランケットシリンダ２０ａおよび２０ｂの円筒形本体２２ａおよび２２ｂ上に配置され、印刷プレートは、プレートシリンダ１２ａおよび１２ｂの円筒形本体１４ａおよび１４ｂ上に配置されると当業者には理解されるであろう。円筒形本体１４ａ、１４ｂおよび２２ａ、２２ｂは、それぞれ印刷プレートおよびブランケットスリーブを受け入れるように固定された外径を有し、この印刷プレートおよびブランケットスリーブは、各々が同様に、その上に配置されるように対応する円筒形本体外径と実質的に同じ固定された内径を有する。このように、当業者には容易に理解できるように、印刷プレートおよびブランケットスリーブは、公知でありかつ完全に従来の方法でそれぞれのプレートシリンダ１２ａおよび１２ｂおよびブランケットシリンダ２０ａおよび２０ｂの円筒形本体１４ａ、１４ｂおよび２２ａ、２２ｂから着脱可能である。
【００２３】
図１を参照して、印刷機１０は有利に、プレートシリンダ１２ａおよび１２ｂの各々のためにサイドフレーム１８および２６と関連する手段を含み、この手段により、プレートシリンダ１２ａおよび１２ｂをサイドフレーム１８および２６から素早く解除して印刷プレートを置換する。この素早く解除する手段は、各々が包括的に参照番号８２ａおよび８２ｂで示される解除可能なクランプを含み、この解除可能なクランプ８２ａおよび８２ｂは、それぞれのプレートシリンダ１２ａおよび１２ｂの対応するひとつと関連する参照番号８６ａおよび８６ｂで示すようなシャフトの端部を受け入れる開口部８４ａおよび８４ｂを有する。図１および図２を比較して理解されるように、解除可能なクランプ８２ａおよび８２ｂはサイドフレーム１８上で装着可能であり、一方、サイドフレーム２６は、プレートシリンダ１２ａおよび１２ｂの対応するひとつと関連するシャフト８６ａおよび８６ｂの対向する端部を受け入れるように孔８８ａおよび８８ｂを有することが可能である。
【００２４】
図１を参照して、解除可能なクランプ８２ａおよび８２ｂは有利に、フレーム１８上で固定位置に装着される９０ａおよび９０ｂで示すようなシャフトを受け入れるベース部分を含み、また、ベース部分９０ａおよび９０ｂの対応するひとつに旋回可能に装着された参照番号９２ａおよび９２ｂで示すようなシャフトクランプ部分も含む。この旋回軸装着は、それぞれのピン９４ａおよび９４ｂを用いて好適に達成され、これによってシャフトクランプ部分９２ａおよび９２ｂがピン９４ａおよび９４ｂを中心に旋回可能となり、それによってプレートシリンダ１２ａおよび１２ｂのそれぞれのシャフト８６ａおよび８６ｂはそれぞれのシャフト受け入れ開口部８４ａおよび８４ｂ内に封じ込まれる。これが終わると、それぞれの旋回可能なねじ切りされたロッド９６ａおよび９６ｂは対応するスロット９８ａおよび９８ｂ内に旋回されるように入り、これに続いて、それぞれの刻みをつけたノブ１００ａおよび１００ｂは、押し付けるようにしっかりと絞められて対応するシャフトクランプ部分９２ａおよび９２ｂに係合してシャフト８６ａおよび８６ｂをそれぞれシャフト受け入れ開口部８４ａおよび８４ｂ内に封じ込める。
【００２５】
シャフト８６ａおよび８６ｂがそれぞれのシャフト受け入れ開口部８４ａおよび８４ｂ内に封じ込まれた状態になると、プレートシリンダ１２ａおよび１２ｂは、印刷機１０を使用するための動作位置にある。
【００２６】
図３を参照して、線形のスライドアセンブリ２８および３０が示され、それぞれのロッド１０２および１０４はクランク６４および７０から伸びている。これらのロッド１０２および１０４は、線形のスライドアセンブリ２８および３０に手動で線形の動きを与え、ブランケットシリンダ２０ａおよび２０ｂを線形に調節可能に位置決めするように設けられている。代替的には、ロッド１０２および１０４は、クランクをサイドフレームに対して旋回させるための好適な形の水圧手段、空圧手段、または他の手段により置換されてよい。
【００２７】
図４に明らかに示されるように、線形のスライドアセンブリ２８および３０には、それぞれクランク６６および６８により係合する第２のストップ１０６および１０８も設けられていてもよい。線形の動きが図４の矢印の方向にブランケットシリンダ２０ａおよび２０ｂに与えられると、クランク６４および７０はそれらがそれぞれのストップ４０および４２に係合するまで動き、クランク６６および６８は、線形の動きが反対方向にブランケットシリンダ２０ａおよび２０ｂに与えられると、それらがそれぞれのストップ１０６および１０８に係合するまで動くことが理解されるだろう。図４に示されるように、ストップ４０、４２、および１０６、１０８は、内側がねじ切りされた本体が、そこを通ってねじ切りされたストップ調整ネジと一緒にサイドフレームに固定されることで調節可能である。
【００２８】
例えば、サイドフレーム１８および２６に関してクランク６４または６６および６８または７０を旋回させる水圧または空圧手段を用いることで、別の利点が得られる。この点については、クランクを旋回させるためのこのような非手動手段は、従来の偏心およびリンク仕掛けスロウオフ機構に代えて、プレートシリンダからブランケットシリンダをそしてブランケットシリンダを互いに分離するためだけでなく、選択された厚みのそして外径のブランケットスリーブがブランケットシリンダ上に配置された後にブランケットの圧搾を制御するために、調節の所望の線形位置にブランケットシリンダを位置決めするのに用いられることが理解されるだろう。もし手動の手段がクランク６４または６６および６８または７０を旋回させるのに用いられるならば、ストップ４０、１０６および４２、１０８は、線形のスライドアセンブリ２８および３０を所望の位置に維持するのに用いられる。
【００２９】
前述の説明に加えて、接続ロッド７２、７４および７６、７８は、それぞれの線形のスライドアセンブリ２８および３０を微調整できるように調節可能である。図４からわかるように、接続ロッドは、旋回可能に装着されたねじ切りされたロッドが対応するクランクおよび線形アームから伸びスリーブ内に通される、内側がねじ切りされたスリーブを備えることが可能である。ストップ４０、４２および１０６、１０８と同様に、接続ロッドの実際の詳細は当業者には明らかであろう。
【００３０】
構成のさらなる詳細として、図５は、ブランケットシリンダ２０ａおよび２０ｂのシャフト８０ａおよび８０ｂは装着ブロック４４および４６内に支えられる方法を示す。図４および６から、線形のスライドアセンブリ２８および３０はサイドフレームに対していかに正確に固定されているかわかり、ここでは、クランク６４、６６および６８、７０がそれぞれのピン１１０、１１２、および１１４、１１６を用いてそこに旋回可能に固定される。さらに、図７は、線形軸受け５６ａ〜５６ｄ、５８ａ〜５８ｄおよび６０ａ〜６０ｄ、６２ａ〜６２ｄがサイドフレームの好適な凹部内に固定される方法を示す。
【００３１】
図４および図５を比較して、ブランケットシリンダ２０ａおよび２０ｂとそれらのそれぞれのプレートシリンダ１４ａおよび１４ｂとの間の間隔は、線形スライドアセンブリ２８および３０によって変更可能であることがわかる。これにより、特定の印刷動作のための必要条件に依って様々な厚みのブランケットスリーブを用いることが可能となる。このようにして、ブランケットスリーブ外径は、所望の印刷カットオフポイントを作成するためにブランケットシリンダ上で用いられる様々な厚みのブランケットスリーブを選択することにより変更可能である。
【００３２】
本発明を広義に理解することは重要ではないが、シャフト８０ａ、８０ｂおよび／または８６ａ、８６ｂは好ましくは固定されたまたは非回転のシャフトであることは理解されるだろう。この場合、プレートシリンダ１２ａおよび１２ｂおよび／またはブランケットシリンダ２０ａおよび２０ｂは、適切なギヤー（図示せず）および／または、固定されたまたは非回転のシャフトを取り囲む中空の駆動シャフト（図示せず）を用いて駆動されてよい。構成のこれらの特徴は本発明の一部を形成しないので、図示されていないか、殊更に詳細に述べられなかった。
【００３３】
前述の説明から、印刷機１０のための実際の駆動装置は示されてはいなかったことも理解されるだろう。なぜなら、印刷機駆動装置およびギヤーなどのような他の構成部品は従来の形をとってもよく、本発明を理解するのに必要ではないからである。このように、本発明は、当業者により容易に選択され実現される駆動装置に依存していない。
【００３４】
前述の説明は本発明の好ましい実施例を述べてきたが、ここで述べられた詳細は、前掲の特許請求の範囲の精神および範囲から逸脱することなく当業者により変更可能である。
【図面の簡単な説明】
【図１】  本発明に従った可変性カットオフ印刷機の斜視図である。
【図２】  図１の印刷機からプレートシリンダを取り外すことを示している部分斜視図である。
【図３】  図１と同様の斜視図であり、ブランケットシリンダを線形に調節可能に位置決めする機構を示す図である。
【図４】  図３の線４−４に沿った線形調節可能な位置決め機構を示す断面図である。
【図５】  図１の線５−５に沿った線形調節可能な位置決め機構を示す断面図である。
【図６】  図５の線６−６に沿った線形調節可能な位置決め機構を示す断面図である。
【図７】  図５の線７−７に沿った線形調節可能な位置決め機構を示す断面図である。
【図１】
0004413422.tif 000002
【図２】
0004413422.tif 000003
【図３】
0004413422.tif 000004
【図４】
0004413422.tif 000005
【図５】
0004413422.tif 000006
【図６】
0004413422.tif 000007
【図７】
0004413422.tif 000008